(57)【要約】【課題】自動時刻合わせを正確に行うことができる時計装置を提供する。【解決手段】時計装置１２０を無線タグ１１０に近づけると無線タグ１１０から地域情報Ａ１が送信される。時計装置１２０は無線タグ１１０から国情報Ａ１を受信し、その国情報Ａ１と不揮発性メモリ１２２に記憶されている国情報Ａ２とを比較する。両国情報Ａ１、Ａ２が相違する場合、両国間の時差情報と、受信した国情報Ａ１に該当する国のサマータイム情報とを不揮発性メモリ１２２から読み出す。そして、時差情報とサマータイム情報とに基づいて、受信した国情報Ａ１に該当する国の現在時刻を算出し、時計部１２１ａが出力する時刻情報を、当該算出した現在時刻の時刻情報に修正する。その結果、表示部１２１ｂに修正済みの正確な現在時刻が表示される。その後、不揮発性メモリ１２２内の国情報Ａ２を受信した国情報Ａ１に更新する。【選択図】      図１
2004340605.tif 000002
【特許請求の範囲】
【請求項１】
現在時刻を計時しその時刻情報を出力する時計手段と、
前記時計手段により時刻情報が出力されている地域の地域情報を記憶した現在情報記憶手段と、
各地域に設置された無線タグから当該無線タグが設置されている地域の地域情報を受信する受信手段と、
前記受信手段により受信した地域情報と前記現在情報記憶手段に記憶されている地域情報とを比較する比較手段と、
地域間の時差情報を記憶した時差情報記憶手段と、
前記比較手段による比較の結果、比較を行った両地域情報が相違する場合に、当該両地域情報に該当する両地域間の時差情報を前記時差情報記憶手段から取得する時差情報取得手段と、
前記時差情報取得手段により取得した時差情報に基づいて、前記受信手段により受信した地域情報が割り当てられている地域の現在時刻を算出し、前記時計手段が出力する時刻情報を、当該算出した現在時刻の時刻情報に修正する現在時刻修正手段とを備えた時計装置。
【請求項２】
無線タグと、計時装置とを備えた時刻情報送信装置であって、
前記無線タグは、
現在時刻の時刻情報を記憶した送信情報記憶手段と、
前記送信情報記憶手段に記憶されている現在時刻の時刻情報を通信可能距離内に接近した時計装置に送信する送信手段とを備え、
前記計時装置は、
これが設置されている地域の現在時刻を計時しその時刻情報を出力する時計手段と、
前記送信情報記憶手段に記憶されている時刻情報を前記時計手段による最新の現在時刻の時刻情報に更新する現在時刻情報書込手段とを備えた時刻情報送信装置。
【請求項３】
請求項２記載の時刻情報送信装置から前記時刻情報を受信する受信手段と、
現在時刻を計時しその時刻情報を出力する時計手段と、
前記時計手段が出力する現在時刻の時刻情報を、前記受信手段により受信した現在時刻の時刻情報に修正する現在時刻修正手段とを備えた時計装置。
【請求項４】
請求項１または３記載の時計装置を備えた電子機器。
【発明の詳細な説明】
【０００１】
【発明の属する技術分野】
本発明は、受信した時刻情報に基づいて時刻を合わせる自動時刻合わせ機能を備えた時計装置、時計装置に自動時刻合わせのための時刻情報を提供する時刻情報送信装置、および当該時計装置を備えた電子機器に関する。
【０００２】
【従来の技術】
旅行などで時差のある国へ行った場合、携帯している時計の現在時刻をその国の現在時刻に合わせる必要がある。その場合、移動元の国と移動先の国との時差をあらかじめ調べておき、携帯している時計の現在時刻を移動先の国の現在時刻に手動で合わせる操作を行う必要があり、非常に手間がかかる。また、移動先の国で時刻を合わせる際、多くの場合様々な施設に設置されている時計の時刻がどれも完全に合っていることはなく、どの時計の時刻に合わせればよいかも判断できない。
【０００３】
時刻を自動修正する機能を備えた時計として電波時計が知られているが、これは国内に設けた時刻信号発信局からの時刻信号電波が届く地域で国内時間を補正するに過ぎない。また、隣国からの時刻信号電波を受信することによる誤補正が発生する可能性がある。たとえば日本に近い海外で日本から発信されている時刻信号電波を受信してしまった場合、時刻補正はなされない。
【０００４】
また、放送局からの放送電波に含まれている時刻信号に基づいて時刻合わせを自動で行う、テレビやビデオレコーダなどに搭載された時刻合わせ装置も知られているが、電波時計と同様、隣国からの放送電波を受信することによる誤補正が発生する可能性がある。（特許文献１参照）
【０００５】
【特許文献１】特開２００１−２５５３８７号公報
【０００６】
【発明が解決しようとする課題】
上述したように、従来の技術では、時刻信号発信局からの時刻信号電波や放送局からの放送電波を利用するため、近隣の国からの電波を受信することによる誤補正が発生する可能性があるといった問題があった。
【０００７】
本発明は、このような従来の技術の問題点に鑑み創案されたものであり、その目的は、近隣の国からの電波を受信することによる誤補正の問題を解消し、各地域で自動時刻合わせを正確に行うことができる時計装置、時計装置に自動時刻合わせのための正確な時刻情報を提供できる時刻情報送信装置、および当該時計装置を備えた電子機器を提供することにある。
【０００８】
【課題を解決するための手段】
上記目的を達成するために、本発明の時計装置は、現在時刻を計時しその時刻情報を出力する時計手段と、前記時計手段により時刻情報が出力されている地域の地域情報を記憶した現在情報記憶手段と、各地域に設置された無線タグから当該無線タグが設置されている地域の地域情報を受信する受信手段と、前記受信手段により受信した地域情報と前記現在情報記憶手段に記憶されている地域情報とを比較する比較手段と、地域間の時差情報を記憶した時差情報記憶手段と、前記比較手段による比較の結果、比較を行った両地域情報が相違する場合に、当該両地域情報に該当する両地域間の時差情報を前記時差情報記憶手段から取得する時差情報取得手段と、前記時差情報取得手段により取得した時差情報に基づいて、前記受信手段により受信した地域情報が割り当てられている地域の現在時刻を算出し、前記時計手段が出力する時刻情報を、当該算出した現在時刻の時刻情報に修正する現在時刻修正手段とを備えた。
【０００９】
上記のように構成された時計装置は、各地域に設置された無線タグから地域情報を受信し、その地域情報と、現在時刻情報が出力されている地域の地域情報とを比較する。その結果、比較対象の両地域情報が相違する場合、当該両地域情報に該当する両地域間の時差情報を取得し、その時差情報に基づいて、受信した地域情報に該当する地域の現在時刻を算出する。そして、出力する現在時刻の時刻情報を、当該算出した現在時刻の時刻情報に修正する。このように、無線タグから受信した地域情報に基づいて時刻情報の修正を行うことにより、各地域で自動時刻合わせを正確に行うことができる。
【００１０】
本発明の時刻情報送信装置は、無線タグと、計時装置とを備えた時刻情報送信装置であって、前記無線タグは、現在時刻の時刻情報を記憶した送信情報記憶手段と、前記送信情報記憶手段に記憶されている現在時刻の時刻情報を通信可能距離内に接近した時計装置に送信する送信手段とを備え、前記計時装置は、これが設置されている地域の現在時刻を計時しその時刻情報を出力する時計手段と、前記送信情報記憶手段に記憶されている時刻情報を前記時計手段による最新の現在時刻の時刻情報に更新する現在時刻情報書込手段とを備えた。
【００１１】
上記のように構成された時刻情報送信装置では、無線タグから、当該無線タグとの通信可能距離内に接近した時計装置に現在時刻の情報が送信される。無線タグ内の現在時刻の情報は、計時装置によってこれが設置されている地域の最新の現在時刻の時刻情報に更新される。したがって、時刻情報送信装置を各地域に設置しておくことにより、無線タグとの通信可能距離内に接近した時計装置に対し、現在の地域の現在時刻の時刻情報を提供することができる。
【００１２】
本発明の時刻情報送信装置において、前記送信情報記憶手段は、地域情報を記憶しており、前記送信手段は、前記時刻情報と共に前記送信情報記憶手段に記憶されている地域情報を送信することが望ましい。
【００１３】
上記構成によれば、時刻情報送信装置との通信可能距離内に接近した時計装置に対し、当該時刻情報送信装置が設置されている地域の現在時刻の時刻情報と共に地域情報が提供される。
【００１４】
本発明の別の時計装置は、本発明の時刻情報送信装置から前記時刻情報を受信する受信手段と、現在時刻を計時しその時刻情報を出力する時計手段と、前記時計手段が出力する現在時刻の時刻情報を、前記受信手段により受信した現在時刻の時刻情報に修正する現在時刻修正手段とを備えた。
【００１５】
上記のように構成された時計装置は、各地域に設置された時刻情報送信装置の無線タグから時刻情報を受信し、出力する現在時刻の時刻情報を、受信した時刻情報に修正する。このように、時刻情報送信装置の無線タグから受信した地域情報に基づいて時刻情報の修正を行うことにより、各地域で自動時刻合わせを正確に行うことができる。
【００１６】
【発明の実施の形態】
以下、本発明の実施の形態について説明する。
【００１７】
図１は本発明の時計装置を含む時刻合わせシステムの構成例を示すブロック図である。
このシステム１００は、国情報を送信する無線タグ１１０と、この無線タグ１１０から国情報を受信し、その国情報に基づいて時刻合わせを行う時計装置１２０とで構成される。
【００１８】
無線タグ１１０は、不揮発性メモリ１１１と、送受信回路１１２と、制御回路１１３とを樹脂モールドにより封止してなるチップ状またはコイン状の小型装置であり、たとえば空港の入国カウンタの出口付近や到着ロビーなど、入国者が通過する可能性の高い各所に設置される。
【００１９】
不揮発性メモリ１１１には、無線タグ１１０が設置される国の国情報Ａ１と、無線タグ１１０が国情報を提供するものであることを示すＩＤ情報とが記憶されている。国情報Ａ１は、この無線タグ１１０が設置されている国を特定するための情報である。
【００２０】
送受信回路１１２は、アンテナ１１２ａを有するＬＣ共振回路で構成され、時計装置１２０からの電波を受信して電磁的相互作用により電力を発生するとともに、制御回路１１３から出力された情報を時計装置１２０に送信する。
【００２１】
制御回路１１３は、送受信回路１１２からの電力で作動し、不揮発性メモリ１１１に記録された情報を読み出して送受信回路１１２に出力する。
【００２２】
時計装置１２０は、計時部１２１と、不揮発性メモリ１２２と、タグリーダ回路１２３、制御回路１２４と、バッテリ１２５とを備えた携帯型装置である。
【００２３】
計時部１２１は、現在時刻を計時しその時刻情報を出力する時計部１２１ａと、時計部１２１ａからの時刻情報に基づいて現在時刻を表示する表示部１２１ｂとを備えている。
【００２４】
不揮発性メモリ１２２には、時計部１２１ａにより時刻情報が出力されている国の国情報Ａ２、各国間の時差情報、各国のサマータイム情報、などが記憶されている。サマータイム情報には、その国におけるサマータイム制度の有無、サマータイム実施期間、サマータイム実施期間における時刻補正値、等が含まれる。
【００２５】
タグリーダ回路１２３は、アンテナ１２３ａと、このアンテナ１２３ａを使用して無線タグ１１０と近距離無線通信する送受信回路１２３ｂとを備え、無線タグ１１０を作動させるための電波を定期的に送信するとともに、無線タグ１１０から情報を受信して制御回路１２４に出力する。
【００２６】
制御回路１２４は、タグリーダ回路１２３により受信した国情報Ａ１と不揮発性メモリ１２２に記憶されている国情報Ａ２とを比較する機能と、比較の結果、比較対象の両国情報Ａ１、Ａ２が相違する場合に、当該両国情報Ａ１、Ａ２に該当する両国間の時差情報を不揮発性メモリ１２２から取得する機能と、不揮発性メモリ１２２から取得した時差情報に基づいて、受信した国情報Ａ１に該当する国の現在時刻を算出し、時計部１２１ａが出力する時刻情報を、当該算出した現在時刻の時刻情報に修正する機能とを有している。
【００２７】
バッテリ１２５は、時計装置１２０の各部１２１〜１２４に電力を供給する。
【００２８】
つぎに、図１に示す時刻合わせシステムにおける時計装置１２０の動作を図２の流れ図に従って説明する。
時計装置１２０は、常時、無線タグ１１０を作動させるための電波を定期的に送信しつつ待機している（Ｓ１）。この待機状態において、時計装置１２０を無線タグ１１０に近づけると、無線タグ１１０から地域情報Ａ１とＩＤ情報とが送信される。
【００２９】
時計装置１２０は、無線タグ１１０からまずＩＤ情報を受信し（Ｓ２）、そのＩＤ情報に基づいて、無線タグ１１０が国情報を提供するものであることを認識した後（Ｓ３）、国情報Ａ１を受信する（Ｓ４）。受信した国情報Ａ１と不揮発性メモリ１２２に記憶されている国情報Ａ２とを比較する（Ｓ５）。比較の結果、比較対象の両国情報Ａ１、Ａ２が相違する場合（Ｓ５でＮｏ）、当該両国情報Ａ１、Ａ２に該当する両国間の時差情報と、受信した国情報Ａ１に該当する国のサマータイム情報とを不揮発性メモリ１２２から読み出す（Ｓ６、Ｓ７）。そして、時差情報とサマータイム情報とに基づいて、受信した国情報Ａ１に該当する国の現在時刻を算出し（Ｓ８）、時計部１２１ａが出力する時刻情報を、当該算出した現在時刻の時刻情報に修正する（Ｓ９）。その結果、表示部１２１ｂに修正済みの現在時刻が表示される。その後、不揮発性メモリ１２２内の国情報Ａ２を受信した国情報Ａ１に更新し（Ｓ１０）、待機状態（Ｓ１）に戻る。
【００３０】
上記のように、無線タグ１１０から受信した国情報およびサマータイム情報に基づいて、時計装置１２０内の時計部１２１ａが出力する時刻情報を修正することにより、サマータイム制度を採用している国も含めて、各国において自動時刻合わせを正確に行うことができるので、現在居る国の正確な現在時刻を表示部２４１ｂに表示することことができる。
【００３１】
図３は本発明の時刻情報送信装置を含む時刻合わせシステムの構成例を示すブロック図である。
このシステム２００は、現在時刻の時刻情報を送信する時刻情報送信装置２１０と、この時刻情報送信装置２１０から時刻情報を受信し、その時刻情報に基づいて時刻合わせを行う時計装置２４０とで構成される。
【００３２】
時刻情報送信装置２１０は、無線タグ２２０と、計時装置２３０とを備えている。
無線タグ２２０は、不揮発性メモリ２２１と、送受信回路２２２と、制御回路２２３とを樹脂モールドにより封止してなるチップ状またはコイン状の小型装置であり、たとえば空港の入国カウンタの出口付近や到着ロビーなど、入国者が通過する可能性の高い各所に設置される。
【００３３】
不揮発性メモリ２２１には、時刻情報送信装置２１０が設置される国の国情報と、時刻情報送信装置２１０が時刻情報を提供するものであることを示すＩＤ情報と、現在時刻の時刻情報とが記憶されている。国情報は、この時刻情報送信装置２１０が設置されている国を特定するための情報である。
【００３４】
送受信回路２２２は、アンテナ２２２ａを有するＬＣ共振回路で構成され、時計装置２４０からの電波を受信して電磁的相互作用により電力を発生するとともに、制御回路２２３から出力された情報を時計装置２４０に送信する。
【００３５】
制御回路２２３は、送受信回路２２２からの電力で作動し、不揮発性メモリ２２１に記録された情報を読み出して送受信回路２２２に出力する。
【００３６】
計時装置２３０は、時刻情報送信装置２１０が設置されている地域の現在時刻を計時しその時刻情報を出力する時計部２３１と、不揮発性メモリ２２１に記憶されている時刻情報を時計部２３１による最新の現在時刻の時刻情報に常時更新する現在時刻情報書込部２３２と、時計部２３１および現在時刻情報書込部２３２に電力を供給するバッテリ２３３とを備えている。
【００３７】
時計装置２４０は、計時部２４１と、不揮発性メモリ２４２と、タグリーダ回路２４３、制御回路２４４と、バッテリ２４５とを備えた携帯型装置である。
【００３８】
計時部２４１は、現在時刻を計時しその時刻情報を出力する時計部２４１ａと、時計部２４１ａからの時刻情報に基づいて現在時刻を表示する表示部２４１ｂとを備えている。
【００３９】
不揮発性メモリ２４２には、時計部２４１ａにより時刻情報が出力されている国の国情報、時差情報、母国情報などが記憶されている。母国情報には、母国と各国との時差を求めるための基本情報が含まれる。
【００４０】
タグリーダ回路２４３は、アンテナ２４３ａと、このアンテナ２４３ａを使用して時刻情報送信装置２１０の無線タグ２２０と近距離無線通信する送受信回路２４３ｂとを備え、無線タグ２２０を作動させるための電波を定期的に送信するとともに、無線タグ２２０から情報を受信して制御回路２４４に出力する。
【００４１】
制御回路２４４は、時計部２４１ａが出力する時刻情報をタグリーダ回路２４３により受信した時刻情報に修正する機能と、不揮発性メモリ２４２に記憶されている国情報と母国情報とに基づいて現在時刻表示中の国と母国との時差を求め、不揮発性メモリ２４２内の時差情報を更新する機能と、不揮発性メモリ２４２に記憶されている国情報と時差情報とに基づいて、現在時刻表示中の国の国名および母国との時差時間を表示部２４１ｂに表示させる機能とを有している。
【００４２】
バッテリ２４５は、時計装置２４０の各部２４１〜２４４に電力を供給する。
【００４３】
つぎに、図３に示す時刻合わせシステムにおける時計装置２４０の動作を図４の流れ図に従って説明する。
時計装置２４０は、常時、時刻情報送信装置２１０の無線タグ２２０を作動させるための電波を定期的に送信しつつ待機している（Ｓ２１）。この待機状態において、時計装置２４０を無線タグ２２０に近づけると、無線タグ２２０からＩＤ情報と、時刻情報および国情報が送信される。
【００４４】
時計装置２４０は、無線タグ２２０からまずＩＤ情報を受信し（Ｓ２２）、そのＩＤ情報に基づいて、時刻情報送信装置２１０が時刻情報を提供するものであることを認識した後（Ｓ２３）、時刻情報と国情報とを受信する（Ｓ２４）。そして、時計部２４１ａが出力する時刻情報を、受信した時刻情報に修正する（Ｓ２５）。その結果、修正済みの現在時刻が表示部２４１ｂに表示される。
【００４５】
また、不揮発性メモリ２４２に記憶されている国情報を、受信した国情報に修正するとともに（Ｓ２６）、修正した国情報と母国情報とに基づいて母国との時差を算出し（Ｓ２７）、不揮発性メモリ２４２内の時差情報を、算出した時差情報に修正する（Ｓ２８）。その結果、現在の国名と修正された時差時間が表示部２４１ｂに表示される。その後、待機状態（Ｓ２１）に戻る。
【００４６】
上記のように、無線タグ２２０から受信した時刻情報に基づいて、時計装置２４０内の時計部２４１ａが出力する時刻情報を修正することにより、自動時刻合わせを正確に行って、現在居る国の正確な現在時刻を表示部２４１ｂに表示することことができる。また、現在時刻とともに、現在の国名および母国との正確な時差時間を表示することができる。
【００４７】
なお、上記実施の形態では、地域情報として国情報を用いた場合について説明したが、地域情報として位置情報（緯度、経度など）を用いることも可能である。
【００４８】
また、上記無線タグ１１０や時刻情報送信装置２１０の設置場所は、空港の入国カウンタの出口付近や到着ロビーなど、入国者が通過する可能性の高い場所に限らない。たとえば、駅やバス停留所、公共施設等、日常人が良く通る場所にも設置しておけば、同一国内でも自動時刻合わせを正確に行うことができる。
【００４９】
また、上記時計装置１２０または２４０を電子機器に搭載しておけば、その電子機器内の時刻情報を行く先々の地域の時刻情報に正確に合わせることができる。たとえば、上記時計装置１２０または２４０を搭載したデジタルカメラによれば、旅先などでユーザが一々時刻合わせなくとも、常に正確な撮影時刻情報を記録することができる。
【００５０】
【発明の効果】
以上説明したように、本発明の時計装置によれば、これを各地域に設置された無線タグまたは時刻情報送信装置に近づけることにより、各地域で自動時刻合わせを正確に行うことができる。
また、本発明の時刻情報送信装置によれば、これを各地域に設置しておくことにより、時計装置に対し、各地域で自動時刻合わせのための正確な時刻情報を提供することができる。
また、本発明の電子機器によれば、これを各地域に設置された無線タグまたは時刻情報送信装置に近づけることにより、各地域で自動時刻合わせを正確に行うことができる。
【図面の簡単な説明】
【図１】本発明の時計装置を含む時刻合わせシステムの構成例を示すブロック図である。
【図２】図１に示す時刻合わせシステムにおける時計装置の動作内容を示す流れ図である。
【図３】本発明の時刻情報送信装置を含む時刻合わせシステムの構成例を示すブロック図である。
【図４】図３に示す時刻合わせシステムにおける時計装置の動作内容を示す流れ図である。
【符号の説明】
１００：時刻合わせシステム
１１０：無線タグ
１２０：時計装置
１２１：計時部
１２１ａ：時計部（時計手段）
１２２：不揮発性メモリ（現在情報記憶手段、時差情報記憶手段）
１２３：タグリーダ回路（受信手段）
１２３ｂ：送受信回路
１２４：制御回路（比較手段、時差情報取得手段、現在時刻修正手段）
２００：時刻合わせシステム
２１０：時刻情報送信装置
２２０：無線タグ
２２１：不揮発性メモリ（送信情報記憶手段）
２２２：送受信回路（送信手段）
２２３：制御回路
２３０：計時装置
２３１：時計部（時計手段）
２３２：現在時刻情報書込部（現在時刻情報書込手段）
２４０：時計装置
２４１：計時部
２４１ａ：時計部（時計手段）
２４２：不揮発性メモリ
２４３：タグリーダ回路（受信手段）
２４３ａ：アンテナ
２４３ｂ：送受信回路
２４４：制御回路（現在時刻修正手段）
【図１】
2004340605.tif 000003
【図２】
2004340605.tif 000004
【図３】
2004340605.tif 000005
【図４】
2004340605.tif 000006